【手続補正書】
【提出日】平成15年11月27日(2003.11.27)
【手続補正１】
【補正対象書類名】明細書
【補正対象項目名】特許請求の範囲
【補正方法】変更
【補正の内容】
【特許請求の範囲】
【請求項１】
主走査サイズの宣言を含む通信プロトコルに基づいて他装置と画像データの通信を行なう画像通信装置であって、
主走査サイズが第１のサイズである旨の情報を伴う圧縮画像ファイルを前記他装置から受信する受信手段と、
前記圧縮画像ファイルに関わる前記他装置との通信における通信プロトコルで主走査サイズとして宣言された第２のサイズが前記第１のサイズと異なる場合に、前記第１のサイズを主走査サイズとして設定する主走査サイズ制御手段と、
前記設定された主走査サイズに基づいて前記圧縮画像ファイルを処理する画像処理手段と、を有することを特徴とする画像通信装置。
【請求項２】
前記画像処理手段は、
前記圧縮画像ファイルを伸長する伸長手段と、
該伸長された画像データを出力する出力手段と、を有することを特徴とする請求項１記載の画像通信装置。
【請求項３】
更に、前記第１のサイズと前記第２のサイズが異なる場合の画像出力位置を設定する出力位置設定手段を備え、
前記出力手段は、設定された画像出力位置に基づいて前記伸長された画像データを出力することを特徴とする請求項２記載の画像通信装置。
【請求項４】
前記出力位置設定手段は、前記画像出力位置を主走査方向の中央として設定可能であることを特徴とする請求項３記載の画像通信装置。
【請求項５】
前記出力位置設定手段は、前記画像出力位置を主走査方向の左詰めとして設定可能であることを特徴とする請求項３記載の画像通信装置。
【請求項６】
前記出力手段は、画像データを記録媒体上に印刷出力することを特徴とする請求項２乃至５のいずれかに記載の画像通信装置。
【請求項７】
主走査サイズの宣言を含む通信プロトコルに基づいて他装置と画像データの通信を行なう画像通信装置であって、
主走査サイズが第１のサイズである旨の情報を伴う圧縮画像ファイルを前記他装置から受信する受信手段と、
前記圧縮画像ファイルに関わる前記他装置との通信における通信プロトコルで主走査サイズとして宣言された第２のサイズが前記第１のサイズと異なる場合に、前記第１のサイズを主走査サイズとして設定する主走査サイズ制御手段と、
前記設定された主走査サイズによる記録が可能な記録媒体を選択する選択手段と、
前記設定された主走査サイズに基づいて前記圧縮画像ファイルを伸長する伸長手段と、
前記伸長された画像データを前記選択された記録媒体上に出力する出力手段と、を有することを特徴とする画像通信装置。
【請求項８】
前記選択手段は、前記第２のサイズが前記第１のサイズよりも小さい場合に、主走査方向が前記第２のサイズよりも大きい記録媒体を選択することを特徴とする請求項７記載の画像通信装置。
【請求項９】
前記選択手段は、主走査方向が前記第２のサイズよりも大きい記録媒体がない場合に、主走査方向が前記第２のサイズに等しい記録媒体を選択することを特徴とする請求項８記載の画像通信装置。
【請求項１０】
前記出力手段は、前記選択手段によって主走査方向が前記第２のサイズに等しい記録媒体が選択された場合に、前記画像データを縮小して該記録媒体上に印刷出力することを特徴とする請求項９記載の画像通信装置。
【請求項１１】
主走査サイズの宣言を含む通信プロトコルに基づいて他装置と画像データの通信を行なう画像通信装置であって、
主走査サイズが第１のサイズである旨の情報を伴う圧縮画像ファイルを前記他装置から受信する受信手段と、
前記圧縮画像ファイルに関わる前記他装置との通信における通信プロトコルで主走査サイズとして宣言された第２のサイズが前記第１のサイズと異なる場合に、前記他装置との通信を切断する通信制御手段と、
を有することを特徴とする画像通信装置。
【請求項１２】
前記通信制御手段は、前記受信手段によって前記圧縮画像ファイルの一部を正常に受信した時点で、前記第２のサイズを前記第１のサイズと比較することを特徴とする請求項１１記載の画像通信装置。
【請求項１３】
更に、前記通信制御手段によって通信を切断する際に、前記他装置へ終了メッセージを報知する報知手段を有することを特徴とする請求項１１又は１２記載の画像通信装置。
【請求項１４】
前記終了メッセージは、通信の切断理由を示すことを特徴とする請求項１３記載の画像通信装置。
【請求項１５】
前記終了メッセージは、前記圧縮画像ファイルの主走査幅が正常でない旨を示すことを特徴とする請求項１４記載の画像通信装置。
【請求項１６】
前記終了メッセージを保持する保持手段を備え、
前記報知手段は、該保持手段に保持された終了メッセージを前記他装置へ通知することを特徴とする請求項１３乃至１５の何れか１項に記載の画像通信装置。
【請求項１７】
前記報知手段は、前記他装置から受信したＴＳＩ信号に基づいて前記終了メッセージを該他装置へ送信することを特徴とする請求項１３乃至１６の何れか１項に記載の画像通信装置。
【請求項１８】
前記報知手段は、前記他装置からの発信者番号通知に基づいて前記終了メッセージを該他装置へ送信することを特徴とする請求項１３乃至１６の何れか１項に記載の画像通信装置。
【請求項１９】
前記通信プロトコルは、ＩＴＵ−Ｔ．３０勧告に準拠することを特徴とする請求項１乃至１８の何れか１項に記載の画像通信装置。
【請求項２０】
前記圧縮画像ファイルは、ＪＰＥＧファイルであることを特徴とする請求項１乃至１９の何れか１項に記載の画像通信装置。
【請求項２１】
前記画像通信装置はファクシミリ装置であることを特徴とする請求項１乃至２０のいずれかに記載の画像通信装置。
【請求項２２】
主走査サイズの宣言を含む通信プロトコルに基づいて他装置と画像データの通信を行なう画像通信装置における制御方法であって、
主走査サイズが第１のサイズである旨の情報を伴う圧縮画像ファイルを前記他装置から受信する受信工程と、
前記圧縮画像ファイルに関わる前記他装置との通信における通信プロトコルで主走査サイズとして宣言された第２のサイズが前記第１のサイズに一致するか否かを判定する判定工程と、
前記判定結果が不一致である場合に、前記第１のサイズを主走査サイズとして設定する設定工程と、
前記設定された主走査サイズに基づいて前記圧縮画像ファイルを処理する画像処理工程と、
を有することを特徴とする画像通信装置の制御方法。
【請求項２３】
主走査サイズの宣言を含む通信プロトコルに基づいて他装置と画像データの通信を行なう画像通信装置における制御方法であって、
主走査サイズが第１のサイズである旨の情報を伴う圧縮画像ファイルを前記他装置から受信する受信工程と、
前記圧縮画像ファイルに関わる前記他装置との通信における通信プロトコルで主走査サイズとして宣言された第２のサイズが前記第１のサイズと異なる場合に、前記第１のサイズを主走査サイズとして設定する主走査サイズ制御工程と、
前記設定された主走査サイズによる記録が可能な記録媒体を選択する選択工程と、
前記設定された主走査サイズに基づいて前記圧縮画像ファイルを伸長する伸長工程と、
前記伸長された画像データを前記選択された記録媒体上に出力する出力工程と、
を有することを特徴とする画像通信装置の制御方法。
【請求項２４】
主走査サイズの宣言を含む通信プロトコルに基づいて他装置と画像データの通信を行なう画像通信装置における制御方法であって、
主走査サイズが第１のサイズである旨の情報を伴う圧縮画像ファイルを前記他装置から受信する受信工程と、
前記圧縮画像ファイルに関わる前記他装置との通信における通信プロトコルで主走査サイズとして宣言された第２のサイズが前記第１のサイズと異なる場合に、前記他装置との通信を切断する通信制御工程と、
を有することを特徴とする画像通信装置の制御方法。
【請求項２５】
前記通信プロトコルは、ＩＴＵ−Ｔ．３０勧告に準拠することを特徴とする請求項２２乃至２４の何れか１項に記載の画像通信装置の制御方法。
【請求項２６】
前記圧縮画像ファイルは、ＪＰＥＧファイルであることを特徴とする請求項２２乃至２５の何れか１項に記載の画像通信装置の制御方法。
【請求項２７】
主走査サイズの宣言を含む通信プロトコルに基づいて他装置と画像データの通信を行なう画像通信装置における制御プログラムを記録した記録媒体であって、
該制御プログラムは少なくとも、
主走査サイズが第１のサイズである旨の情報を伴う圧縮画像ファイルを前記他装置から受信する受信工程のコードと、
前記圧縮画像ファイルに関わる前記他装置との通信における通信プロトコルで主走査サイズとして宣言された第２のサイズが前記第１のサイズに一致するか否かを判定する判定工程のコードと、
前記判定結果が不一致である場合に、前記第１のサイズを主走査サイズとして設定する設定工程のコードと、
前記設定された主走査サイズに基づいて前記圧縮画像ファイルを処理する画像処理工程のコードと、
を有することを特徴とする記録媒体。
【請求項２８】
主走査サイズの宣言を含む通信プロトコルに基づいて他装置と画像データの通信を行なう画像通信装置における制御プログラムを記録した記録媒体であって、
該制御プログラムは少なくとも、
主走査サイズが第１のサイズである旨の情報を伴う圧縮画像ファイルを前記他装置から受信する受信工程のコードと、
前記圧縮画像ファイルに関わる前記他装置との通信における通信プロトコルで主走査サイズとして宣言された第２のサイズが前記第１のサイズと異なる場合に、前記第１のサイズを主走査サイズとして設定する主走査サイズ制御工程のコードと、
前記設定された主走査サイズによる記録が可能な記録媒体を選択する選択工程のコードと、
前記設定された主走査サイズに基づいて前記圧縮画像ファイルを伸長する伸長工程のコードと、
前記伸長された画像データを前記選択された記録媒体上に出力する出力工程のコードと、を有することを特徴とする記録媒体。
【請求項２９】
主走査サイズの宣言を含む通信プロトコルに基づいて他装置と画像データの通信を行なう画像通信装置における制御プログラムを記録した記録媒体であって、
該制御プログラムは少なくとも、
主走査サイズが第１のサイズである旨の情報を伴う圧縮画像ファイルを前記他装置から受信する受信工程のコードと、
前記圧縮画像ファイルに関わる前記他装置との通信における通信プロトコルで主走査サイズとして宣言された第２のサイズが前記第１のサイズと異なる場合に、前記他装置との通信を切断する通信制御工程のコードと、
を有することを特徴とする記録媒体。
【手続補正２】
【補正対象書類名】明細書
【補正対象項目名】００１３
【補正方法】変更
【補正の内容】
【００１３】
即ち、主走査サイズの宣言を含む通信プロトコルに基づいて他装置と画像データの通信を行なう画像通信装置であって、主走査サイズが第１のサイズである旨の情報を伴う圧縮画像ファイルを前記他装置から受信する受信手段と、前記圧縮画像ファイルに関わる前記他装置との通信における通信プロトコルで主走査サイズとして宣言された第２のサイズが前記第１のサイズと異なる場合に、前記第１のサイズを主走査サイズとして設定する主走査サイズ制御手段と、前記設定された主走査サイズに基づいて前記圧縮画像ファイルを処理する画像処理手段と、を有することを特徴とする。


【手続補正３】
【補正対象書類名】明細書
【補正対象項目名】００１４
【補正方法】変更
【補正の内容】
【００１４】
また、主走査サイズの宣言を含む通信プロトコルに基づいて他装置と画像データの通信を行なう画像通信装置であって、主走査サイズが第１のサイズである旨の情報を伴う圧縮画像ファイルを前記他装置から受信する受信手段と、前記圧縮画像ファイルに関わる前記他装置との通信における通信プロトコルで主走査サイズとして宣言された第２のサイズが前記第１のサイズと異なる場合に、前記第１のサイズを主走査サイズとして設定する主走査サイズ制御手段と、前記設定された主走査サイズによる記録が可能な記録媒体を選択する選択手段と、前記設定された主走査サイズに基づいて前記圧縮画像ファイルを伸長する伸長手段と、前記伸長された画像データを前記選択された記録媒体上に出力する出力手段と、を有することを特徴とする。


【手続補正４】
【補正対象書類名】明細書
【補正対象項目名】００１５
【補正方法】変更
【補正の内容】
【００１５】
また、主走査サイズの宣言を含む通信プロトコルに基づいて他装置と画像データの通信を行なう画像通信装置であって、主走査サイズが第１のサイズである旨の情報を伴う圧縮画像ファイルを前記他装置から受信する受信手段と、前記圧縮画像ファイルに関わる前記他装置との通信における通信プロトコルで主走査サイズとして宣言された第２のサイズが前記第１のサイズと異なる場合に、前記他装置との通信を切断する通信制御手段と、を有することを特徴とする。


【手続補正５】
【補正対象書類名】明細書
【補正対象項目名】００３０
【補正方法】変更
【補正の内容】
【００３０】
図２は、不揮発性ＲＡＭ１０４のメモリ構成を示す図である。不揮発性ＲＡＭ１０４には、装置本体のパワーオフ時にも継続して記憶されるべき情報を保存するが、同図に示されるように本実施形態においては、「送信開始速度」、「受信開始速度」の領域に加えて、「カラー受信画像サイズ不一致時プリント位置」（以下、単に「不一致時プリント位置」と称する）」という領域２０１を設けている。そして、操作部１０５におけるユーザの操作によって、「不一致時プリント位置」を「左つめ」又は「センタリング」のいずれかに設定することができる。「左つめ」設定の場合は、カラー受信したＪＰＥＧファイルの主走査素サイズがＩＴＵ−Ｔ．３０で規定されるプロトコルで宣言された主走査サイズと異なっていた場合に、受信画像を記録紙の左側に詰めてプリントを行なう。一方、「センタリング」設定の場合は、同じく主走査サイズが異なる場合に、受信画像を記録紙の主走査方向の中央にプリントする。


【手続補正６】
【補正対象書類名】明細書
【補正対象項目名】００４９
【補正方法】変更
【補正の内容】
【００４９】
一方、ステップＳ２３０１で受信ファイルがＪＰＥＧ符号化されたファイルであれば、ステップＳ２３０５において主制御部１０１は、上述した第１実施形態と同様に、通信主走査サイズとファイル主走査サイズとが一致しているか否かを判定する。一致していればステップＳ２３０２に進み、上述したように通信主走査サイズを有効とした後、ステップＳ２３０３、Ｓ２３０４によって記録紙の中央に画像を配置したプリントを行う。


【手続補正７】
【補正対象書類名】明細書
【補正対象項目名】００６８
【補正方法】変更
【補正の内容】
【００６８】
ステップＳ１２１１においては、受信画像のＪＰＥＧヘッダで定義されている主走査画素サイズとＤＣＳで宣言された解像度、主走査幅から計算される主走査画素サイズが一致しているか否かを判定する。一致していなければステップＳ１２１５に進んで、相手機にＤＣＮ（切断命令）信号を送り、通信をエラー終了する。


【手続補正８】
【補正対象書類名】明細書
【補正対象項目名】００７０
【補正方法】変更
【補正の内容】
【００７０】
ステップＳ１２０８において受信した文書がカラー文書でない場合、及びステップＳ１２０９において受信した画像がページの第１ブロックでない場合、及びステップＳ１２１１において受信画像のファイル主走査サイズと通信主走査サイズが一致する場合には、ステップＳ１２１３に進み、画像ブロックを正しく受信したことを報知するために、相手機に対してＭＣＦ（メッセージ確認）信号を送る。続いてステップＳ１２１４において、ステップＳ１２０６で受信したＰＰＳ−Ｑ信号の種類により連続して画像ブロックが送信されてくるか否かを判断し、送信されてくる場合は、ステップＳ１２０５において次の画像ブロックの受信を行なう。一方、次の画像ブロックが送信されない場合は受信処理を終了する。


【手続補正９】
【補正対象書類名】図面
【補正対象項目名】図２
【補正方法】変更
【補正の内容】
【図２】
2001078041.tif 000001